【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
プライバシが保護されるべきオブジェクトを描くイメージフレームのシーケンス（１１６）をエンコードする方法であって、
エンコードすべきイメージフレームのシーケンス（１１６）を受信すること（Ｅ０２）であって、プライバシが保護されるべき様々なタイプのオブジェクトを描く前記イメージフレームのシーケンス（１１６）を受信すること（Ｅ０２）と、
前記イメージフレームのシーケンス（１１６）の第１のバージョン（２１６ａ）及び第２のバージョン（４１６ｂ）を生成すること（Ｅ０４）であって、前記イメージフレームのシーケンスの前記第１のバージョン（２１６ａ）を生成する際には、前記第１のバージョン（２１６ａ）のイメージフレームにプライバシマスクが提供され、プライバシが保護されるべきすべてのタイプのオブジェクトのプライバシが保護される、生成すること（Ｅ０４）と、
前記イメージフレームのシーケンスの前記第１のバージョン（２１６ａ）を、イントラコードされたイメージフレーム及びインターコードされたイメージフレームの第１のエンコードされたシーケンス（２０７）としてエンコードすること（Ｅ０６）と、
前記イメージフレームのシーケンスの前記第２のバージョン（４１６ｂ）を、インターコードされたイメージフレームの第２のエンコードされたシーケンス（２０８）としてエンコードすること（Ｅ０８）であって、前記第２のエンコードされたシーケンス（２０８）の前記インターコードされたイメージフレームは、前記第１のエンコードされたシーケンス（２０７）の前記イントラコードされたイメージフレームを使用してエンコードされる、エンコードすること（Ｅ０８）と、
前記第２のエンコードされたシーケンス（２０８）の前記インターコードされたイメージフレームを暗号化すること（Ｅ１０）と、
前記第１のエンコードされたシーケンス（２０７）及び前記第２のエンコードされたシーケンス（２０９）のイメージフレームをインターリービングすることにより、前記第１のエンコードされたシーケンス（２０７）及び前記第２のエンコードされたシーケンス（２０９）を、単一の出力シーケンス（１１７）に結合すること（Ｅ１２）と、
を含み、
前記イメージフレームのシーケンスの前記第２のバージョン（４１６ｂ）を生成する際には、前記シーケンスの前記第２のバージョン（４１６ｂ）のイメージフレームにプライバシマスクが提供され、プライバシが保護されるべき第１のタイプのオブジェクト以外のすべてのプライバシが保護されることを特徴とする、方法。
【請求項２】
前記第２のエンコードされたシーケンス（２０８）の前記インターコードされたイメージフレームに、標準イメージデコーダ（１２１）によりデコードされることを防ぐインジケーションを付与することをさらに含む、請求項１に記載の方法。
【請求項３】
前記インジケーションは、前記第２のエンコードされたシーケンス（２０８）の前記インターコードされたイメージフレームのヘッダに付与される、請求項２に記載の方法。
【請求項４】
前記インジケーションは、前記第２のエンコードされたシーケンス（２０８）の前記インターコードされたイメージフレームに関連付けられたＮＡＬユニットのユニットタイプである、ネットワークアブストラクションレイヤ（ｎｅｔｗｏｒｋ  ａｂｓｔｒａｃｔｉｏｎ  ｌａｙｅｒ又はＮＡＬ）の値を設定することにより付与され、前記値は、前記ＮＡＬユニットが、前記標準イメージデコーダ（１２１）によりデコードされるべきでないことを示す、請求項２又は３に記載の方法。
【請求項５】
前記第１のエンコードされたシーケンス（２０７）の前記イントラコードされたイメージフレームに、当該イントラコードされたイメージフレームが表示されるべきでないことのインジケーションを付与することと、
前記第１のエンコードされたシーケンス（２０７）に対し、前記イントラコードされたイメージフレームのそれぞれの後にＰスキップフレームを加えることと、
をさらに含む、請求項１から４のいずれか一項に記載の方法。
【請求項６】
前記イメージフレームのシーケンス（１１６）の第３のバージョン（５１６ｂ）を生成することであって、前記シーケンスの前記第３のバージョン（５１６ｂ）のイメージフレームにプライバシマスクが提供され、プライバシが保護されるべき第２のタイプのオブジェクト以外のすべてのプライバシが保護される、第３のバージョン（５１６ｂ）を生成することと、
前記イメージフレームのシーケンスの前記第３のバージョン（５１６ｂ）を、インターコードされたイメージフレームの第３のエンコードされたシーケンス（５０８）としてエンコードすることであって、前記第３のエンコードされたシーケンス（５０８）の前記インターコードされたイメージフレームは、前記第１のエンコードされたシーケンス（２０７）の前記イントラコードされたイメージフレームを使用してエンコードされる、エンコードすることと、
前記第３のエンコードされたシーケンス（５０８）の前記インターコードされたイメージフレームを暗号化することと、
前記第１のエンコードされたシーケンス（２０７）、前記第２のエンコードされたシーケンス（２０９）、及び前記第３のエンコードされたシーケンス（５０９）のイメージフレームをインターリービングすることにより、前記第３のエンコードされたシーケンス（５０９）を、前記第１のエンコードされたシーケンス（２０７）及び前記第２のエンコードされたシーケンス（２０９）と共に、前記単一の出力シーケンス（１１７）に結合することと、
をさらに含む、請求項５に記載の方法。
【請求項７】
前記第２のエンコードされたシーケンス（２０８）は、前記第１のエンコードされたシーケンス（２０７）のイントラコードされたイメージフレームをエンコードの開始点として使用してエンコードされた、連続する、インターコードされたイメージフレームのサブシーケンスを含む、請求項１から６のいずれか一項に記載の方法。
【請求項８】
プライバシが保護されるべきオブジェクトを描くイメージフレームのシーケンス（１１６）をエンコードするデバイス（１１３、４１３、５１３）であって、
エンコードされるイメージフレームのシーケンス（１１６）を受信するよう構成されているレシーバ（２０１）であって、前記イメージフレームのシーケンス（１１６）は、プライバシが保護されるべき様々なタイプのオブジェクトを描く、レシーバ（２０１）と、
前記イメージフレームのシーケンスの第１のバージョン（２１６ａ）を生成するよう構成されている第１のプライバシマスカ（２０２）であって、前記第１のバージョン（２１６ａ）のイメージフレームを生成する際には、前記シーケンスの前記第１のバージョン（２１６ａ）の前記イメージフレームにプライバシマスクを提供し、プライバシが保護されるべきすべての様々なタイプのオブジェクトのプライバシを保護するよう構成されている、第１のプライバシマスカ（２０２）と、
前記イメージフレームのシーケンスの前記第１のバージョン（２１６ａ）を、イントラコードされたイメージフレーム及びインターコードされたイメージフレームの第１のエンコードされたシーケンス（２０７）としてエンコードし、前記イメージフレームのシーケンスの第２のバージョン（４１６ｂ）を、インターコードされたイメージフレームの第２のエンコードされたシーケンス（２０８）としてエンコードするよう構成されているエンコーダ（２０３）であって、前記第２のエンコードされたシーケンス（２０８）の前記インターコードされたイメージフレームは、前記第１のエンコードされたシーケンス（２０７）の前記イントラコードされたイメージフレームを使用してエンコードされる、エンコーダ（２０３）と、
前記第２のエンコードされたシーケンス（２０８）の前記インターコードされたイメージフレームを暗号化するよう構成されているエンクリプタ（２０４）と、
前記第１のエンコードされたシーケンス（２０７）及び前記第２のエンコードされたシーケンスのイメージフレーム（２０９）をインターリービングすることにより、前記第１のエンコードされたシーケンス（２０７）及び前記第２のエンコードされたシーケンス（２０９）を、単一の出力シーケンス（１１７）に結合するよう構成されているインターリーバ（２０５）と、
を含み、
前記イメージフレームのシーケンスの前記第２のバージョン（４１６ｂ）を生成するよう構成されている第２のプライバシマスカ（４０２）であって、前記第２のバージョン（４１６ｂ）のイメージフレームを生成する際には、前記第２のバージョン（４１６ｂ）の前記イメージフレームにプライバシマスクを提供し、プライバシが保護されるべき第１のタイプのオブジェクト以外のすべてのプライバシを保護するよう構成されている、第２のプライバシマスカ（４０２）をさらに含むことを特徴とする、デバイス。
【請求項９】
プライバシが保護されるべきオブジェクトを描くイメージフレームのシーケンスを撮像するよう構成されているイメージセンサ（１１１）と、
前記イメージセンサ（１１１）により撮像された前記イメージフレームのシーケンスを受信し、受信した前記イメージフレームのシーケンスを、単一の出力シーケンスにエンコードするよう配置されている、請求項８に記載のデバイス（１１３、４１３、５１３）と、
を含む、カメラ（１１）。
【請求項１０】
プロセッサにより実行されると、請求項１から７のいずれか一項に記載の方法を実施するよう適合されているコンピュータコード命令を保存している、コンピュータ可読媒体。